(57)【要約】本発明に係るスマートデバイスのストレージ装置は、スマートデバイスを保管する保管箱を多数個具備した保管部；保管箱を選択して制御する情報である第１制御情報をサーバーから受信する通信部；保管箱を選択して制御する情報である第２制御情報の入力を受ける入力部；スマートデバイスと連結されるポートを各保管箱内に具備してスマートデバイスを充電する接続部；および第１制御情報や第２制御情報に応じて該当保管箱のロック解除を制御する制御部；を含むことを特徴とする。
2019515610.tif 000002
【特許請求の範囲】
【請求項１】
スマートデバイスを保管する保管箱を多数個具備するものの、各保管箱がスライド方式で開閉する引き出し型で構成されるか、開閉するドアが各保管箱に備えられたドア型で構成される保管部；
特定の保管箱を選択して選択した保管箱に対するロック解除の制御を遂行する情報である第１制御情報と、特定の保管箱を選択して選択した保管箱に保管中のスマートデバイスを同期化する情報が入っている第１同期化設定情報と、をサーバーから受信し、制御部で生成した保管現況情報をサーバーに送信する通信部；
特定の保管箱を選択して選択した保管箱に対するロック解除の制御を遂行する情報である第２制御情報と、特定の保管箱を選択して選択した保管箱に保管中のスマートデバイスを同期化する情報が入っている第２同期化設定情報と、の入力を受ける入力部；
スマートデバイスと連結されるポートを各保管箱内に具備してスマートデバイスと連結され、スマートデバイスを充電または同期化する信号をポートを介してスマートデバイスに伝達する接続部；
保管箱をロックするかロック解除するロック部；
保管箱のロック状態やロック解除状態を感知する感知部；および
第１制御情報や第２制御情報に応じて該当保管箱のロックが解除されるようにロック部を制御し、第１同期化設定情報や第２同期化設定情報に応じて該当保管箱のポートに連結されたスマートデバイスの同期化を実行するように接続部を制御し、各保管箱ごとにスマートデバイスが保管中であるか搬出されて空いているかの有無を表す情報である保管現況情報を生成する制御部；を含むものの、
前記制御部は、
スマートデバイスの保管を指示する情報が含まれた第１制御情報または第２制御情報に応じて該当保管箱がロック解除された後に再びロック状態に戻る場合、該当保管箱にスマートデバイスが保管中であると保管状態情報を生成し、
スマートデバイスの搬出を指示する第１制御情報または第２制御情報に応じて該当保管箱がロック解除された後に再びロック状態に戻る場合、該当保管箱からスマートデバイスが搬出されたと保管状態情報を生成することを特徴とする、スマートデバイスのストレージ装置。
【請求項２】
前記接続部は各保管箱のポートに連結されたスマートデバイスから充電状態を表す充電情報を受信し、
前記制御部は充電情報が含まれた保管現況情報を生成することを特徴とする、請求項１に記載のスマートデバイスのストレージ装置。
【請求項３】
前記制御部は、
接続部に充電情報が受信されないか接続部に受信された充電情報による充電値が一定時間の間一定の範囲内に維持される場合、該当ポートの保管箱に対するエラー状態を表示するエラー情報が含まれた保管現況情報を生成することを特徴とする、請求項２に記載のスマートデバイスのストレージ装置。
【請求項４】
ユーザーを撮影する撮影部をさらに含み、
前記制御部はスマートデバイスが保管されたり搬出される場合に映像が撮影されるように撮影部を制御することを特徴とする、請求項１に記載のスマートデバイスのストレージ装置。
【請求項５】
ストレージ装置の固有識別情報である第１識別情報と、各保管箱の固有識別情報である第２識別情報をそれぞれ保存した保存部をさらに含み、
前記第１同期化設定情報は、
第１識別情報が入っている同期化用ストレージ選択情報；
第２識別情報が入っている同期化用第１保管箱選択情報；および
同期化を実行する時間の情報が入っている第１予約時間情報；を含むものの、
スマートデバイスにアップロードされるデータファイルの情報が入っている第１データファイル情報、スマートデバイスに設置されるアプリケーションの情報が入っている第１アプリケーション情報、およびスマートデバイスの環境を設定する情報が入っている第１環境設定情報のうちいずれか一つ以上の情報をさらに含み、
前記第２同期化設定情報は、
第２識別情報が入っている同期化用第２保管箱選択情報；および
同期化を実行する時間の情報が入っている第２予約時間情報；を含むものの、
スマートデバイスにアップロードされるデータファイルの情報が入っている第２データファイル情報、スマートデバイスに設置されるアプリケーションの情報が入っている第２アプリケーション情報、およびスマートデバイスの環境を設定する情報が入っている第２環境設定情報のうちいずれか一つ以上の情報をさらに含むことを特徴とする、請求項１に記載のスマートデバイスのストレージ装置。
【請求項６】
前記制御部は、
第１同期化設定情報に含まれた同期化用ストレージ選択情報が該当ストレージ装置の第１識別情報と一致する場合、
同期化用第１保管箱選択情報の該当保管箱のポートに連結されたスマートデバイスを、第１予約時間情報の時間に、第１データファイル情報、第１アプリケーション情報および第１環境設定情報のうちいずれか一つ以上の情報により同期化を実行するように接続部を制御し、
第２同期化設定情報が入力部を介して入力される場合、
同期化用第２保管箱選択情報の該当保管箱のポートに連結されたスマートデバイスを、第２予約時間情報の時間に、第２データファイル情報、第２アプリケーション情報および第２環境設定情報のうちいずれか一つ以上の情報により同期化を実行するように接続部を制御することを特徴とする、請求項５に記載のスマートデバイスのストレージ装置。
【請求項７】
前記保管箱は、
スマートデバイスを収容する収容空間を具備してスライディングする引き出し；および
引き出しが入出力される穿孔空間を具備した本体；を含む引き出し型で構成され、
前記ロック部は、
本体の内側の後方に設置されるブラケット；
一側に形成された係止溝とブラケットの一側で回転するヒンジを具備したラッチ；
ブラケットの一側に固定され、ラッチの後端と結合されるプランジャーを具備したソレノイドバルブ；
ラッチがヒンジ軸を中心に復元されようとする方向に回転力が作用するようにラッチの先端に連結された第１スプリング；
ラッチの係止溝と係止作用をするように引き出しの後方に備えられた係止軸；および
ラッチでロック解除された引き出しを押し出すようにブラケットの前方に備えられた第２スプリング；を含むことを特徴とする、請求項１に記載のスマートデバイスのストレージ装置。
【請求項８】
前記制御部はラッチの係止溝から係止軸がロック解除されるようにソレノイドバルブを制御することを特徴とする、請求項７に記載のスマートデバイスのストレージ装置。
【請求項９】
ストレージ装置および保管箱を選択して制御する情報が入っている第１制御情報を送信するサーバー；および
請求項１〜請求項８のいずれか一項に記載された１個以上のストレージ装置；を含むことを特徴とする、スマートデバイスの管理システム。
【請求項１０】
前記サーバーは、
ストレージ装置から受信される情報を保存するデータベース；および
データベースに保存された情報をサーバーに接続された端末機に提供するサーバー制御部；をさらに含むことを特徴とする、請求項９に記載のスマートデバイスの管理システム。
【請求項１１】
保管箱を多数個具備するものの、各保管箱がスライド方式で開閉する引き出し型で構成されるか、開閉するドアが各保管箱に備えられたドア型で構成される保管部、スマートデバイスと連結されるポートを各保管箱に具備してスマートデバイスと連結され、スマートデバイスと連結され、スマートデバイスを充電または同期化する信号をポートを介してスマートデバイスに伝達する接続部、入力部、保管箱をロックするかロック解除するロック部、保管箱のロック状態やロック解除状態を感知する感知部、および制御部をそれぞれ含む１個以上のストレージ装置を利用したスマートデバイスの管理方法であって、
特定のストレージ装置および特定の保管箱を選択して選択したストレージ装置の保管箱に対するロック解除の制御を遂行する情報である第１制御情報をサーバーからストレージ装置に送信するか特定の保管箱を選択して選択した保管箱に対するロック解除の制御を遂行する情報である第２制御情報を入力部を介して入力を受け、特定のストレージ装置および特定の保管箱を選択して選択したストレージ装置の保管箱に保管中のスマートデバイスを同期化する情報である第１同期化設定情報をサーバーからストレージ装置に送信するか特定の保管箱を選択して選択した保管箱に保管中のスマートデバイスを同期化する情報である第２同期化設定情報を入力部を介して入力を受ける情報受信段階；
制御部が第１制御情報や第２制御情報に応じて該当保管箱のロックが解除されるようにロック部を制御し、制御部が第１同期化設定情報や第２同期化設定情報に応じて該当保管箱のポートに連結されたスマートデバイスの同期化を実行するように接続部を制御する制御段階；
制御部が各保管箱ごとにスマートデバイスが保管中であるか搬出されて空いているかの有無を表す情報である保管現況情報を生成するものの、感知部で感知した保管箱のロック状態やロック解除状態に応じて保管現況情報を生成する生成段階；および
生成された保管現況情報を通信部を介してサーバーに送信する送信段階；を含むものの、
前記生成段階は、
スマートデバイスの保管を指示する第１制御情報または第２制御情報に応じて該当保管箱がロック解除された後に再びロック状態に戻る場合、該当保管箱にスマートデバイスが保管中であると保管状態情報を生成し、
スマートデバイスの搬出を指示する第１制御情報または第２制御情報に応じて該当保管箱がロック解除された後に再びロック状態に戻る場合、該当保管箱からスマートデバイスが搬出されたと保管状態情報を生成する段階をさらに含むことを特徴とする、スマートデバイスの管理方法。
【請求項１２】
サーバーに受信された保管現況情報をデータベースに保存し、データベースに保存された連結情報をサーバーに接続された端末機に提供する段階をさらに含むことを特徴とする、請求項１１に記載のスマートデバイスの管理方法。
【請求項１３】
前記生成段階は、
各保管箱のポートに連結されたスマートデバイスから充電状態を表す充電情報を接続部で受信する場合、
充電情報が含まれた保管現況情報を制御部で生成する段階をさらに含むことを特徴とする、請求項１１に記載のスマートデバイスの管理方法。
【請求項１４】
前記生成段階は、
接続部に充電情報が受信されないか接続部に受信された充電情報による充電値が一定時間の間一定の範囲内に維持される場合、
該当ポートの保管箱に対するエラー状態を表示するエラー情報が含まれた保管現況情報を制御部で生成する段階をさらに含むことを特徴とする、請求項１３に記載のスマートデバイスの管理方法。
【請求項１５】
前記ストレージ装置はユーザーを撮影する撮影部をさらに含み、
前記制御段階はスマートデバイスが保管されたり搬出される場合に映像が撮影されるように制御部で撮影部を制御する段階をさらに含むことを特徴とする、請求項１１に記載のスマートデバイスの管理方法。
【請求項１６】
各ストレージ装置は固有識別情報である第１識別情報を具備し、各保管箱は固有識別情報である第２識別情報を具備し、
前記第１同期化設定情報は、
第１識別情報が入っている同期化用ストレージ選択情報；
第２識別情報が入っている同期化用第１保管箱選択情報；および
同期化を実行する時間の情報が入っている第１予約時間情報；を含むものの、
スマートデバイスにアップロードされるデータファイルの情報が入っている第１データファイル情報、スマートデバイスに設置されるアプリケーションの情報が入っている第１アプリケーション情報、およびスマートデバイスの環境を設定する情報が入っている第１環境設定情報のうちいずれか一つ以上の情報をさらに含み、
前記第２同期化設定情報は、
第２識別情報が入っている同期化用第２保管箱選択情報；および
同期化を実行する時間の情報が入っている第２予約時間情報；を含むものの、
スマートデバイスにアップロードされるデータファイルの情報が入っている第２データファイル情報、スマートデバイスに設置されるアプリケーションの情報が入っている第２アプリケーション情報、およびスマートデバイスの環境を設定する情報が入っている第２環境設定情報のうちいずれか一つ以上の情報をさらに含むことを特徴とする、請求項１１に記載のスマートデバイスの管理方法。
【請求項１７】
前記制御段階は、
第１同期化設定情報に含まれた同期化用ストレージ選択情報と該当ストレージ装置の第１識別情報とが一致する場合、
同期化用第１保管箱選択情報の該当保管箱のポートに連結されたスマートデバイスを、第１予約時間情報の時間に、第１データファイル情報、第１アプリケーション情報および第１環境設定情報のうちいずれか一つ以上の情報により同期化を実行するように制御部で接続部を制御し、
第２同期化設定情報が入力部を介して入力される場合、
同期化用第２保管箱選択情報の該当保管箱のポートに連結されたスマートデバイスを、第２予約時間情報の時間に、第２データファイル情報、第２アプリケーション情報および第２環境設定情報のうちいずれか一つ以上の情報により同期化を実行するように制御部で接続部を制御する段階をさらに含むことを特徴とする、請求項１６に記載のスマートデバイスの管理方法。
【請求項１８】
第１同期化設定情報や第２同期化設定情報に応じて該当保管箱のスマートデバイスに同期化を実行した結果についての情報が入っている同期化結果情報を制御部で生成する段階；
同期化結果情報を通信部でサーバーに送信する段階；および
サーバーに受信された同期化結果情報をデータベースに保存し、データベースに保存された連結情報をサーバーに接続された端末機に提供する段階；をさらに含むことを特徴とする、請求項１６または請求項１７に記載のスマートデバイスの管理方法。
【発明の詳細な説明】
【技術分野】
【０００１】
本発明はスマートデバイスのストレージ装置、管理システムおよび管理方法に関するものであって、より詳細には多数のスマートデバイスの保管および管理を遠隔で制御するストレージ装置、管理システムおよび管理方法に関するものである。
【背景技術】
【０００２】
最近、スマートフォン、スマートパッド、スマートウォッチまたはタブレット（Ｔａｂｌｅｔ）ＰＣなどの多様なスマートデバイスが用いられている。これらスマートデバイスは各種アプリケーションを任意に設置することが可能であるため、インターネット検索、文書作業およびマルチメディアコンテンツの再生などの多様な機能を提供する。特に、これらスマートデバイスは各種機関および団体で公用として用いられるようになってから、各種産業、教育およびサービス分野などの各分野の成果の向上に資している。
【０００３】
しかし、各機関および団体で公用として用いるこれらスマートデバイスは、多くの地点に分散配置される場合が多いためこれらを１ヶ所で管理することが困難であるだけでなく、管理者がアプリケーションの設置、データファイルのアップロード、環境設定などの管理を各スマートデバイスごとに手作業で行わなければならない不都合な点があった。
【先行技術文献】
【特許文献】
【０００４】
【特許文献１】韓国登録特許１０−１５４６９３２  Ｂ１
【発明の概要】
【発明が解決しようとする課題】
【０００５】
前記のような従来技術の問題点を解決するために、本発明は、多数のスマートデバイスの保管および管理を遠隔で制御するストレージ装置とこれを管理するシステムおよび方法を提供することをその目的とする。
【課題を解決するための手段】
【０００６】
前記のような課題を解決するための本発明の一実施例に係るスマートデバイスのストレージ装置は、（１）スマートデバイスを保管する保管箱を多数個具備するものの、各保管箱がスライド方式で開閉する引き出し型で構成されるか、開閉するドアが各保管箱に備えられたドア型で構成される保管部、（２）特定の保管箱を選択して選択した保管箱に対するロック解除の制御を遂行する情報である第１制御情報と、特定の保管箱を選択して選択した保管箱に保管中のスマートデバイスを同期化する情報が入っている第１同期化設定情報と、をサーバーから受信し、制御部で生成した保管現況情報をサーバーに送信する通信部、（３）特定の保管箱を選択して選択した保管箱に対するロック解除の制御を遂行する情報である第２制御情報と、特定の保管箱を選択して選択した保管箱に保管中のスマートデバイスを同期化する情報が入っている第２同期化設定情報と、の入力を受ける入力部、（４）スマートデバイスと連結されるポートを各保管箱内に具備してスマートデバイスと連結され、スマートデバイスを充電または同期化する信号をポートを介してスマートデバイスに伝達する接続部、（５）保管箱をロックするかロック解除するロック部、（６）保管箱のロック状態やロック解除状態を感知する感知部、（７）第１制御情報や第２制御情報に応じて該当保管箱のロックが解除されるようにロック部を制御し、第１同期化設定情報や第２同期化設定情報に応じて該当保管箱のポートに連結されたスマートデバイスの同期化を実行するように接続部を制御し、各保管箱ごとにスマートデバイスが保管中であるか搬出されて空いているかの有無を表す情報である保管現況情報を生成する制御部を含む。
【０００７】
本発明の一実施例に係るスマートデバイスの管理方法は、（１）特定のストレージ装置および特定の保管箱を選択して選択したストレージ装置の保管箱に対するロック解除の制御を遂行する情報である第１制御情報をサーバーからストレージ装置に送信するか特定の保管箱を選択して選択した保管箱に対するロック解除の制御を遂行する情報である第２制御情報を入力部を介して入力を受け、特定のストレージ装置および特定の保管箱を選択して選択したストレージ装置の保管箱に保管中のスマートデバイスを同期化する情報である第１同期化設定情報をサーバーからストレージ装置に送信するか特定の保管箱を選択して選択した保管箱に保管中のスマートデバイスを同期化する情報である第２同期化設定情報を入力部を介して入力を受ける情報受信段階、（２）制御部が第１制御情報や第２制御情報に応じて該当保管箱のロックが解除されるようにロック部を制御し、制御部が第１同期化設定情報や第２同期化設定情報に応じて該当保管箱のポートに連結されたスマートデバイスの同期化を実行するように接続部を制御する制御段階、（３）制御部が各保管箱ごとにスマートデバイスが保管中であるか搬出されて空いているかの有無を表す情報である保管現況情報を生成するものの、感知部で感知した保管箱のロック状態やロック解除状態に応じて保管現況情報を生成する生成段階、（４）生成された保管現況情報を通信部を介してサーバーに送信する送信段階を含む。
【発明の効果】
【０００８】
前記のように構成される本発明の一実施例に係るスマートデバイスのストレージ装置、管理システムおよび管理方法は、サーバーを利用してストレージ装置を制御することができ、同期化を実行することができるだけでなく、ストレージ装置の保管箱ごとに保管現況情報や同期化結果情報を提供することができるため、遠隔でも多数のスマートデバイスをより容易に保管および管理することができる。
【図面の簡単な説明】
【０００９】
【図１】本発明の一実施例に係るスマートデバイスの管理システムのブロック構成図。
【図２】本発明の一実施例に係るスマートデバイスのストレージ装置の正面図。
【図３】本発明の一実施例に係るスマートデバイスのストレージ装置において、引き出し型で構成されたいずれか一つの保管箱。
【図４】本発明の一実施例に係るスマートデバイスのストレージ装置において、引き出し型で構成されたいずれか一つの保管箱の引き出しと、引き出しに締結されたロック部。
【図５】本発明の一実施例に係るスマートデバイスの管理システムの同期化遂行のためのデータフローチャートの第１実施例。
【図６】本発明の一実施例に係るスマートデバイスの管理システムの同期化遂行のためのデータフローチャートの第２実施例。
【図７】本発明の一実施例に係るスマートデバイスの管理システムの設定プログラム。
【図８】本発明の一実施例に係るスマートデバイスの管理システムの設定プログラム。
【図９】本発明の一実施例に係るスマートデバイスの管理システムの設定プログラム。
【発明を実施するための形態】
【００１０】
本発明の利点および特徴、そしてそれらを達成する方法は、添付図面と共に詳細に後述されている実施例を参照すれば明確となるはずである。しかし、本発明は以下で開示される実施例に限定されるものではなく、互いに異なる多様な形態で具現され得、ただし本実施例は本発明の開示を完全なものとし、本発明が属する技術分野で通常の知識を有する者に発明の範疇を完全に知らせるために提供されるものであり、本発明は請求項の範疇によってのみ定義される。明細書全体に亘って同一の参照符号は同一の構成要素を指し示す。
【００１１】
また、本明細書で用いられた用語は実施例を説明するためのものであって、本発明を制限しようとするものではない。本明細書において、単数型は文面で特に言及しない限り複数型も含む。明細書で用いられる「含む（ｃｏｍｐｒｉｓｅｓ）」および／または「含む（ｃｏｍｐｒｉｓｉｎｇ）」は、言及された構成要素、段階、動作および／または素子の他に一つ以上の他の構成要素、段階、動作および／または素子の存在または追加を排除しない。特に定義されていない限り、本明細書で用いられるすべての用語（技術および科学的用語を含む）は、本発明が属する技術分野で通常の知識を有する者に共通して理解され得る意味で用いられ得るであろう。また、一般的に用いられる辞書に定義されている用語は、明白に特に定義されていない限り、理想的であるか過度に解釈されない。
【００１２】
以下、添付された図面を参照して本発明に係る好ましい一実施例を詳細に説明する。
【００１３】
図１は、本発明の一実施例に係るスマートデバイスの管理システム１のブロック構成図を示している。
【００１４】
本発明の一実施例に係るスマートデバイスの管理システム１は、図１に図示された通り、サーバー１０、ストレージ装置２０およびスマートデバイス３０を含むことができる。
【００１５】
サーバー１０は第１制御情報や第１同期化設定情報をストレージ装置２０に送信し、保管現況情報や同期化結果情報をストレージ装置２０から受信する。具体的には、サーバー１０は、図１に図示された通り、サーバー制御部１１およびデータベース１２を含むことができ、その他に通信部をさらに含むことができる。
【００１６】
通信部（図示されず）はストレージ装置２０と各種情報（第１制御情報、第１同期化設定情報、保管現況情報、同期化結果情報など）をやり取りする構成として、有線通信モジュールや無線通信モジュールを含むことができる。例えば、通信部は、移動通信モジュール、Ｗｉ−Ｆｉ送受信モジュール、ブルートゥース（登録商標）送受信モジュール、ＮＦＣ（Ｎｅａｒ  Ｆｉｅｌｄ  Ｃｏｍｍｕｎｉｃａｔｉｏｎ）送受信モジュール、ＢＡＮ（Ｂｏｄｙ  Ａｒｅａ  Ｎｅｔｗｏｒｋ）送受信モジュール、ジグビー（ＺｉｇＢｅｅ）（登録商標）送受信モジュール、事物インターネット送受信モジュールおよびその他近距離通信送受信モジュールなどを含むことができる。
【００１７】
サーバー制御部１１は設定プログラムに応じて第１制御情報や第１同期化設定情報を設定し、設定された第１制御情報や第１同期化設定情報を通信部を介してストレージ装置２０に送信するように制御する。この時、サーバー制御部１１はデータベース１２に第１制御情報や第１同期化設定情報を保存するように制御することができる。また、サーバー制御部１１は、ストレージ装置２０から受信した保管現況情報や同期化結果情報をデータベース１２に保存するように制御し、データベース１２に保存された保管現況情報や同期化結果情報を加工して統計や報告書の形態でサーバー１０に接続された端末機４０に提供するように制御する。例えば、サーバー制御部１１はストレージ装置ごとに、保管部ごとに、ポートごとに、またはスマートデバイスごとにそれぞれ保管現況情報や同期化結果情報に対する統計や報告書を端末機４０に提供することができる。
【００１８】
データベース１２はサーバー制御部１１が設定した第１制御情報および第１同期化設定情報と、ストレージ装置２０から受信した保管現況情報および同期化結果情報などを含む各種情報を保存する。
【００１９】
サーバー１０からストレージ装置２０に送信する第１制御情報および第１同期化設定情報と、ストレージ装置２０からサーバー１０に送信する保管現況情報および同期化設定情報と、サーバー制御部１１で駆動する設定プログラムについては後述する。
【００２０】
図２は、本発明の一実施例に係るスマートデバイスのストレージ装置２０の正面図を示している。
【００２１】
ストレージ装置２０は多数のスマートデバイスを保管するものであって、少なくとも１つ以上備えることが好ましい。この時、各ストレージ装置２０はそれぞれ固有の識別情報を有する。以下、ストレージ装置２０の識別情報を「第１識別情報」とする。
【００２２】
具体的には、ストレージ装置２０は、図１に図示された通り、保管部２１、通信部２２、入力部２３、接続部２４および制御部２５を含むことができる。この時、ストレージ装置２０は前面ドアが開閉される長方形のキャビネットで設計され得、底にはキャスターが備えられ得る。また、ストレージ装置２０は、側面にハンドルが備えられることによって移動可能に設置され得、許可されていないユーザーによって任意に開閉されないように前面ドアにロック装置が設置され得る。
【００２３】
保管部２１は、スマートデバイス３０を保管する保管箱２１０を多数個具備する。各保管箱２１０は、１個以上のスマートデバイス３０を保管できるように収容空間を具備する。この時、保管箱２１０はスライド方式で開閉する引き出し型で構成されるか、開閉するドアが各保管箱に備えられたドア型で構成され得る。各保管箱２１０はそれぞれ固有の識別情報を有している。以下、各保管箱２１０の識別情報を「第２識別情報」とする。
【００２４】
本発明の一実施例に係るストレージ装置２０は、ロック部（図示されず）および感知部（図示されず）をさらに含むことができる。ロック部は保管部２１の各保管箱２１０をロックするかロック解除するロック装置で構成される。この時、ロック部は、通常は保管箱２１０のロック状態を維持し、制御部２５から解除信号を受信した場合にのみ保管箱２１０のロックを解除する電子式で構成されることが好ましい。例えば、保管箱２１０がドア型で構成される場合、ロック部はドアがロックされるとドアのロック状態を維持し、制御部２５から解除信号を受信するとドアのロックを解除する。また、保管箱２１０が引き出し型で構成される場合、ロック部は引き出しがロックされると引き出しのロック状態を維持し、制御部２５から解除信号を受信すると引き出しのロックを解除する。ロック部は電子式ソレノイドバルブを含むことができる。この場合、電子式ソレノイドは、制御部２５から解除信号を受信するとバルブの位置を移動させて保管箱２１０のドアや引き出しのロック解除を遂行する。
【００２５】
感知部は、ロック部によって各保管箱２１０がロック状態となるかロック解除状態となるかを感知する構成である。例えば、ロック部が電子式ソレノイドバルブを含む場合、感知部はバルブの移動により電子式ソレノイドバルブが発生させる信号を感知するか、バルブの特定位置時に接触するセンサーがバルブの接触の有無により発生させる信号を感知して保管箱２１０のロック状態を感知し、感知した信号は制御部２５に伝達される。
【００２６】
以下、保管箱２１０が引き出し型で構成された場合についてより詳細に説明する。
【００２７】
図３は、発明の一実施例に係るスマートデバイスのストレージ装置２０において、引き出し型で構成されたいずれか一つの保管箱２１０を示している。
【００２８】
図４は、本発明の一実施例に係るスマートデバイスのストレージ装置２０において、引き出し型で構成されたいずれか一つの保管箱２１０の引き出し２１１と、引き出し２１１に締結されたロック部２６を示している。
【００２９】
保管箱２１０は、図３に図示された通り、引き出し型で構成され得る。この時、保管箱２１０はスマートデバイス３０を収容する収容空間２１３を具備してスライディングしながら入出力する引き出し２１１と、引き出し２１１が入出力される穿孔空間を具備した本体２１２を含む。この時、ロック部２６は、図４に図示された通り、ブラケット２６１、ラッチ２６２、ソレノイドバルブ２６３、第１スプリング２６４、係止軸２６５および第２スプリング２６６を含む。
【００３０】
ブラケット２６１は本体２１２の内側の後方に設置される。ラッチ２６２は一側に形成された係止溝２６２ａを具備し、ブラケット２６１の一側に回転可能なヒンジ２６２ｂを具備する。この時、ラッチ２６２の後端はブラケット２６１の一側に固定されるソレノイドバルブ２６３のプランジャー２６３ａに結合され、ラッチ２６２の先端は第１スプリング２６４が連結されてラッチ２６２がヒンジ軸２６２ｂを中心として常に復元しようとする方向に回転力が作用する。一方、引き出し２１１の後方にはラッチ２６２の係止溝２６２ａと係止作用をする係止軸２６５が設置され、ブラケット２６１の前方にはラッチ２６２から解除された引き出し２１１を押し出す第２スプリング２６６が設置されている。このように構成されたロック部２６に制御部２５から解除信号が受信されると引き出し２１１がロック解除されて開かれるようになる。引き出し２１１が開かれた後、ユーザーが引き出し２１１を押すと、引き出し２１１が保管箱２１０の本体２１２内に押されながら保管箱２１０内のロック部２６によって再びロックされるようになる。
【００３１】
引き出し２１１がロックおよび解除される過程を詳細に説明する。ロック解除された引き出し２１１が本体２１２の内部に押されると、引き出し２１１の後方の係止軸２６５がラッチ２６２の係止溝２６２ａに係止されて維持されると共に引き出し２１１のロックが遂行される。この状態で制御部２５から解除信号が受信されると、ソレノイドバルブ２６３に電源が印加されてプランジャー２６３ａがラッチ２６２の後端を引っ張るようになり、ラッチ２６２を矢印（Ａ）方向に所定の範囲回転させ、それによりラッチ２６２の係止溝２６２ａから係止軸２６５がロック解除される。これと共に第２スプリング２６６の復元力によって引き出し２１１は矢印Ｂ方向に押されてロック解除されながら開かれるようになる。この時、ラッチ２６２は第１スプリング２６４の復元力によって元の位置に戻る。
【００３２】
通信部２２はサーバー１０と各種情報（第１制御情報、第１同期化設定情報、保管現況情報、同期化結果情報など）をやり取りする構成として、有線通信モジュールや無線通信モジュールを含むことができる。例えば、通信部２２は、移動通信モジュール、Ｗｉ−Ｆｉ（Ｗｉｆｉ）送受信モジュール、ブルートゥース送受信モジュール、ＮＦＣ（Ｎｅａｒ  Ｆｉｅｌｄ  Ｃｏｍｍｕｎｉｃａｔｉｏｎ）送受信モジュール、ＢＡＮ（Ｂｏｄｙ  Ａｒｅａ  Ｎｅｔｗｏｒｋ）送受信モジュール、ジグビー（ＺｉｇＢｅｅ）（登録商標）送受信モジュール、事物インターネット送受信モジュールおよびその他近距離通信送受信モジュールなどを含むことができる。
【００３３】
入力部２３は第２制御情報や第２同期化設定情報の入力を受ける構成である。入力部２３は、スイッチ形態、ボタン形態、またはタッチスクリーンパネル（Ｔｏｕｃｈ  Ｓｃｒｅｅｎ  Ｐａｎｅｌ）を具備してタッチ認識が可能なディスプレイパネルの形態で具現され得る。タッチスクリーンパネルを具備したディスプレイパネルで具現される場合、入力部２３は各種情報をディスプレイする出力部としての役割を共に遂行する。この時、ユーザーがディスプレイパネル上であらかじめ定められた位置をタッチしたりあらかじめ定められたパターン（例えば、ダブルクリック、図形の図柄など）を入力する場合、入力部２３は該当タッチ動作を感知して第２制御情報や第２同期化設定情報の入力を受ける。例えば、ディスプレイパネルは非発光型ディスプレイパネルと発光型ディスプレイパネルのうちいずれか一つで構成され得る。
【００３４】
非発光型ディスプレイパネルは、入力される信号にしたがって外部光源（太陽光、室内光、バックライトまたはフロントライトなど）から照射される光を変調する光変調素子を利用した映像表示装置であって、反射手段を具備した反射型と反射手段を具備しない透過型に分かれる。非発光型ディスプレイパネルのうち透過型パネルは液晶ディスプレイパネル（ｌｉｑｕｉｄ  ｃｒｙｓｔａｌ  ｄｉｓｐｌａｙ  ｐａｎｅｌ）が代表的であり、この時用いられる外部光源は発光ダイオード（Ｌｉｇｈｔ  Ｅｍｉｔｔｉｎｇ  Ｄｉｏｄｅ、ＬＥＤ）、レーザーダイオード（Ｌａｓｅｒ  Ｄｉｏｄｅ、ＬＤ）、有機発光ダイオード（Ｏｒｇａｎｉｃ  Ｌｉｇｈｔ  Ｅｍｉｔｔｉｎｇ  Ｄｉｏｄｅ、ＯＬＥＤ）および量子ドット発光ダイオード（Ｑｕａｎｔｕｍ  Ｄｏｔ  Ｌｉｇｈｔ  Ｅｍｉｔｔｉｎｇ  Ｄｉｏｄｅ、ＱＬＥＤ）のうちいずれか一つであり得るが、これに限定されるものではない。非発光型ディスプレイパネルのうち反射型パネルは、電気泳動ディスプレイパネル（ｅｌｅｃｔｒｏｐｈｏｒｅｔｉｃ  ｄｉｓｐｌａｙ  ｐａｎｅｌ）、コレステリック液晶ディスプレイパネル（ｃｈｏｌｅｓｔｅｒｉｃ  ｌｉｑｕｉｄ  ｃｒｙｓｔａｌ  ｄｉｓｐｌａｙ  ｐａｎｅｌ）、マイクロ電気機械システムディスプレイパネル（ｍｉｃｒｏ−ｅｌｅｃｔｒｏｍｅｃｈａｎｉｃａｌ  ｓｙｓｔｅｍ  ｄｉｓｐｌａｙ  ｐａｎｅｌ）、エレクトロウェッティングディスプレイパネル（ｅｌｅｃｔｒｏｗｅｔｔｉｎｇ  ｄｉｓｐｌａｙ  ｐａｎｅｌ）および電子流体ディスプレイパネルのうちいずれか一つであり得るが、これに限定されるものではない。
【００３５】
発光型ディスプレイパネルは入力される信号にしたがって光を変調して発光するものの、外部光源なしに自ら発光する発光素子を利用した映像表示装置である。発光型ディスプレイパネルは発光ダイオードディスプレイパネル（ｌｉｇｈｔ  ｅｍｉｔｔｉｎｇ  ｄｉｏｄｅ  ｄｉｓｐｌａｙ  ｐａｎｅｌ）、有機電界発光ディスプレイパネル（ｏｒｇａｎｉｃ  ｅｌｅｃｔｒｏｌｕｍｉｎｅｓｃｅｎｃｅ  ｄｉｓｐｌａｙ  ｐａｎｅｌ、またはＯＬＥＤ［ｏｒｇａｎｉｃ  ｌｉｇｈｔ  ｅｍｉｔｔｉｎｇ  ｄｉｏｄｅ］  ｐａｎｅｌ）、バックライト型液晶ディスプレイパネル（ｂａｃｋｌｉｇｈｔ  ｌｉｑｕｉｄ  ｃｒｙｓｔａｌ  ｄｉｓｐｌａｙ  ｐａｎｅｌ）および量子ドットディスプレイパネル（ｑｕａｎｔｕｍ  ｄｏｔ  ｄｉｓｐｌａｙ  ｐａｎｅｌ）のうちいずれか一つであり得るが、これに限定されるものではない。
【００３６】
入力部２３から入力を受ける第２制御情報と第２同期化設定情報については詳細に後述する。
【００３７】
接続部２４は多数のスマートデバイス３０と連結されるインタフェース装置であって、スマートデバイス３０を充電し、スマートデバイス３０とデータ通信をする。すなわち、接続部２４はスマートデバイス３０を充電または同期化する信号をポート２４０を介してスマートデバイス３０に伝達する。例えば、接続部２４はＵＳＢインタフェースであり得るが、これに限定されるものではない。接続部２４はスマートデバイス３０と直接連結される部分であるポート２４０を複数個具備する。この時、保管部２１の各保管箱２１０は１個以上のポート２４０を内部の収容空間に具備することができる。これに伴い、スマートデバイス３０は保管箱２１０に保管されると共にポート２４０を介して充電およびデータ通信をすることができる。特に、各ポート２４０はそれぞれ固有の識別情報を有している。以下、各ポート２４０の識別情報を「第３識別情報」とする。
【００３８】
例えば、接続部２４がＵＳＢインターフェースで構成された場合、ＵＳＢインターフェースは、ＵＳＢインターフェースのケーブルの一端に形成されたＵＳＢコネクターと、ＵＳＢコネクターに差し込むことができるように形成されるＵＳＢポートと、で構成され得る。この時、ＵＳＢコネクターとＵＳＢポートを含むＵＳＢインターフェースは、形態、ピンの個数などにより多様な種類が存在し得る。例えば、ＵＳＢインターフェースは、標準Ａタイプ、標準Ｂタイプ、ミニＡタイプ、ミニＢタイプ、マイクロＡタイプ、マイクロＢタイプなどが存在し得る。
【００３９】
制御部２５は、サーバー１０から受信した第１制御情報や入力部２３から入力された第２制御情報に応じて保管部２１の保管箱２１０を選択してロック解除を制御する。また、制御部２５はサーバー１０から受信した第１同期化設定情報や入力部２３から入力された第２同期化設定情報によって、接続部２４に連結されたスマートデバイス３０の中で選択して同期化を実行するように制御することができる。また、制御部２５は保管現況情報と同期化結果情報を生成することができる。この時、制御部２５は生成された保管現況情報と同期化結果情報が通信部２２を介してサーバー１０に送信されるように制御する。
【００４０】
ストレージ装置２０は、第１制御情報、第２制御情報、第１同期化設定情報、第２同期化設定情報、保管現況情報、同期化結果情報、第１識別情報、第２識別情報、第３識別情報、第４識別情報などを含む各種情報を保存するための保存部（図示されず）をさらに含むことができる。保存部は、ロム（ＲＯＭ）、ラム（ＲＡＭ）、フラッシュ（Ｆｌａｓｈ）メモリー、磁気テープ、フロッピーディスク、光記録媒体などで具現され得る。
【００４１】
ストレージ装置２０は、図２に図示された通り、撮影部２７をさらに含むことができる。撮影部２７は保管箱２１０を利用するユーザーを撮影するための構成である。制御部２５は、保管箱２１０にスマートデバイス３０が保管されるか保管箱２１０からスマートデバイス３０が搬出される場合、撮影部２７が映像を撮影するように制御する。
【００４２】
スマートデバイス３０は携帯用端末機であって、携帯電話、スマートフォン、スマートパッド、スマートウォッチ、またはタブレット（Ｔａｂｌｅｔ）ＰＣのうちの一つであり得るが、これに限定されるものではない。この時、各スマートデバイス３０はそれぞれ固有の識別情報を有することができる。以下、スマートデバイス３０の識別情報を「第４識別情報」とする。
【００４３】
本発明の一実施例に係るスマートデバイスの管理システム１は、サーバー１０自らにおいて第１制御情報や第１同期化設定情報を設定することができ、図１に図示された通り、サーバーに接続可能な端末機４０を介して第１制御情報や第１同期化設定情報を設定することができる。
【００４４】
以下、第１制御情報、第２制御情報、第１同期化設定情報、第２同期化設定情報、保管現況情報および同期化結果情報について詳細に説明する。
【００４５】
まず、第１制御情報について説明する。第１制御情報はサーバー１０で設定される情報であって、これを受信したストレージ装置２０が保管部２１の各保管箱２１０に対するロック解除の制御を遂行するために必要な情報を含む。すなわち、第１制御情報は制御を実行する対象と制御の内容がそれぞれ入っている情報であって、制御用ストレージ選択情報、制御用第１保管箱選択情報および制御用第１指示情報を含むことができる。
【００４６】
この時、制御用ストレージ選択情報は、多数のストレージ装置２０のうちいずれのストレージ装置２０を選択するのかについての情報が入っているものであって、制御のために選択されたストレージ装置２０の第１識別情報を含む。
【００４７】
制御用第１保管箱選択情報は、多数の保管箱２１０のうちいずれの保管箱２１０を選択するのかについての情報が入っているものであって、制御のために選択された保管箱２１０の第２識別情報を含む。
【００４８】
制御用第１指示情報はスマートデバイス３０を保管したり搬出するように指示する情報を含んでいる。
【００４９】
通信部２２を介して第１制御情報を受信する場合、制御部２５は第１制御情報のストレージ選択情報に含まれた第１識別情報と保存部に保存された第１識別情報とが一致するかを判断する。第１制御情報のストレージ選択情報に含まれた第１識別情報と保存部に保存された第１識別情報とが一致する場合、制御部２５は制御用第１保管箱制御情報による該当保管箱のロックが解除されるようにロック部を制御する。
【００５０】
例えば、［１０３１］の第１識別情報を有するストレージ装置２０の通信部２２に制御用ストレージ選択情報、制御用第１保管箱選択情報および制御用第１指示情報が順に、［１０３１］、［２０１４］および［保管］である第１制御情報が受信した場合、保存部に保存された第１識別情報「１０３１」と制御用ストレージ選択情報に含まれた第１識別情報［１０３１］とが一致するので、制御部２５は［２０１４］の第２識別情報を有する保管箱２１０がロック解除されるようにロック部を制御して、［２０１４］保管箱２１０にスマートデバイス３０が保管されるようにする。
【００５１】
万一、同一のストレージ装置２０の通信部２２に制御用ストレージ選択情報、制御用第１保管箱選択情報および制御用第１指示情報が順に、［１０３１］、［２０１５］および［搬出］である第１制御情報が受信した場合、保存部に保存された第１識別情報［１０３１］と制御用ストレージ選択情報に含まれた第１識別情報［１０３１］とが一致するので、制御部２５は［２０１５］の第２識別情報を有する保管箱２１０がロック解除されるようにロック部を制御して、［２０１５］保管箱２１０からスマートデバイス３０が搬出されるようにする。
【００５２】
次いで、第２制御情報について説明する。第２制御情報は入力部２３から入力される情報であって、保管部２１の各保管箱２１０に対するロック解除の制御を遂行するために必要な情報を含む。すなわち、第２制御情報は制御を実行する対象と制御の内容がそれぞれ入っている情報であって、制御用第２保管箱選択情報および制御用第２指示情報を含むことができる。この時、第２制御情報はストレージ装置２０から直接入力を受けるものであるので、第１制御情報に含まれた制御用ストレージ選択情報が不要である。
【００５３】
制御用第２保管箱選択情報は、多数の保管箱２１０のうちいずれの保管箱２１０を選択するのかが入っている情報であって、制御のために選択された保管箱２１０の第２識別情報を含む。また、制御用第２指示情報はスマートデバイス３０を保管したり搬出するように指示する情報を含んでいる。
【００５４】
入力部２３を介して第２制御情報の入力を受ける場合、制御部２５は制御用第２保管箱制御情報による該当保管箱のロックが解除されるようにロック部を制御する。
【００５５】
例えば、ストレージ装置２０の入力部２３に制御用第２保管箱選択情報および制御用第２指示情報が順に、［２０１６］および［保管］である第２制御情報が入力された場合、制御部２５は［２０１６］の第２識別情報を有する保管箱２１０がロック解除されるようにロック部を制御して、［２０１６］保管箱２１０にスマートデバイス３０が保管されるようにする。
【００５６】
また、ストレージ装置２０の入力部２３に制御用第２保管箱選択情報および制御用第２指示情報が順に、［２０１７］および［搬出］である第２制御情報が受信した場合、制御部２５は［２０１７］の第２識別情報を有する保管箱２１０がロック解除されるようにロック部を制御して、［２０１７］保管箱２１０からスマートデバイス３０が搬出されるようにする。
【００５７】
次いで、保管現況情報について説明する。保管現況情報はストレージ装置２０の制御部２５で生成した情報であって、保管部２１の各保管箱２１０の利用現況を示している。すなわち、保管現況情報はストレージ装置および保管箱ごとにスマートデバイス３０が保管中であるか搬出されて空いているかを表すものであって、ストレージ現況情報、保管箱現況情報および保管の有無についての情報を含む。
【００５８】
ストレージ現況情報はストレージ装置２０の第１識別情報が入っている情報であって、すなわち多数のストレージ装置２０のうちいずれのストレージ装置２０であるかについての情報を表している。保管箱現況情報は各保管箱２１０の第２識別情報が入っている情報であって、すなわち多数の保管箱２１０のうちいずれの保管箱２１０であるかについての情報を表している。保管の有無についての情報はスマートデバイス３０が保管中であるかそれとも搬出されて保管箱２１０が空いているのかについての情報を表している。
【００５９】
例えば、ストレージ現況情報、保管箱現況情報および保管の有無についての情報が順に、［１０３２］、［２０２０］および［保管］である保管現況情報が制御部２５で生成した場合、これは［１０３２］の第１識別情報を有するストレージ装置２０の［２０２０］の第２識別情報を有する保管箱２１０にスマートデバイス３０が保管中であることを表している。
【００６０】
また、ストレージ現況情報、保管箱現況情報および保管の有無についての情報が順に、［１０３３］、［２０２１］および［搬出］である保管現況情報が制御部２５で生成した場合、これは［１０３３］の第１識別情報を有するストレージ装置２０の［２０２１］の第２識別情報を有する保管箱２１０にスマートデバイス３０が搬出されて該当保管箱２１０が空いていることを表している。
【００６１】
一方、スマートデバイス３０の保管を指示する制御用第１指示情報が含まれた第１制御情報が通信部２２に受信される場合、制御部２５は該当保管箱２１０がロック解除されるようにロック部を制御する。その後該当保管箱２１０が再びロック状態となってこれを感知部で感知した場合、制御部２５は該当保管箱２１０にスマートデバイス３０が保管中であると保管状態情報を生成する。
【００６２】
スマートデバイス３０の搬出を指示する制御用第１指示情報が含まれた第１制御情報が通信部２２に受信される場合、制御部２５は該当保管箱（２１０）がロック解除されるようにロック部を制御する。その後該当保管箱２１０が再びロック状態になってこれを感知部で感知した場合、制御部２５は該当保管箱２１０からスマートデバイスが搬出されたと保管状態情報を生成する。
【００６３】
スマートデバイス３０の保管を指示する制御用第２指示情報が含まれた第２制御情報が入力部２３に入力される場合、制御部２５は該当保管箱２１０がロック解除されるようにロック部を制御する。その後該当保管箱２１０が再びロック状態になってこれを感知部で感知した場合、制御部２５は該当保管箱２１０にスマートデバイス３０が保管中であると保管状態情報を生成する。
【００６４】
スマートデバイス３０の搬出を指示する制御用第２指示情報が含まれた第２制御情報が入力部２３に入力される場合、制御部２５は該当保管箱（２１０）がロック解除されるようにロック部を制御する。その後該当保管箱２１０が再びロック状態になってこれを感知部で感知した場合、制御部２５は該当保管箱２１０からスマートデバイスが搬出されたと保管状態情報を生成する。
【００６５】
一方、保管状態情報は、充電情報、エラー情報、または映像情報をさらに含むことができる。
【００６６】
接続部２４は各保管箱２１０のポート２４１に連結されたスマートデバイス３０から充電状態についての情報が入っている充電情報を受信し、制御部２５は受信した充電情報が含まれた保管状態情報を生成する。
【００６７】
例えば、ストレージ現況情報、保管箱現況情報、保管の有無についての情報および充電情報が順に、［１０４０］、［２０３０］、［保管］および［７０］である保管現況情報が制御部２５で生成した場合、これは［１０４０］の第１識別情報を有するストレージ装置２０の［２０３０］の第２識別情報を有する保管箱２１０にスマートデバイス３０が保管中であり、該当スマートデバイス３０が７０％充電されたことを表している。
【００６８】
制御部２５は接続部２４に充電情報が受信されないか接続部２４に受信された充電情報による充電値が一定時間の間一定の範囲内に維持される場合、該当ポート２４１の保管箱２１０に対するエラー状態を表示するエラー情報が含まれた保管現況情報を生成する。
【００６９】
例えば、［１０４１］の第１識別情報を有するストレージ装置２０の［２０３１］の第２識別情報を有する保管箱２１０にスマートデバイス３０が保管中であるか、該当スマートデバイス３０から接続部２４に充電情報が受信されない場合、制御部２５はストレージ現況情報、保管箱現況情報、保管の有無についての情報およびエラー情報が順に、［１０４１］、［２０３１］、［保管］および［エラー］である保管現況情報を生成することができる。
【００７０】
また、［１０４２］の第１識別情報を有するストレージ装置２０の［２０３２］の第２識別情報を有する保管箱２１０にスマートデバイス３０が保管中であるか、該当スマートデバイス３０から接続部２４に受信された充電情報が５分の間［８０］である場合、制御部２５はストレージ現況情報、保管箱現況情報、保管の有無についての情報およびエラー情報が順に、［１０４１］、［２０３２］、［保管］および［エラー］である保管現況情報を生成することができる。
【００７１】
制御部２５は保管箱２１０にスマートデバイス３０が保管されたり保管箱２１０からスマートデバイス３０が搬出される場合、撮影部が撮影するように制御することができる。この時、制御部２５は撮影部で撮影された映像情報が含まれた保管現況情報を生成する。
【００７２】
次いで、第１同期化設定情報について説明する。第１同期化設定情報はサーバー１０で設定される情報であって、これを受信したストレージ装置２０が同期化を遂行するために必要な情報を含む。すなわち、第１同期化設定情報は同期化を実行する対象と同期化の内容とがそれぞれ入っている情報であって、第１選択情報と第１コンテンツ情報を含むことができる。
【００７３】
この時、第１選択情報は、多数のストレージ装置２０および保管箱２１０に保管中のスマートデバイス３０のうちいずれのストレージ装置２０および保管箱２１０に保管中のスマートデバイス３０の同期化を実行するのかについての情報が入っている情報である。特に、第１同期化設定情報はそれぞれ固有識別情報を有することができる。以下、第１同期化設定情報の識別情報を「第５識別情報」とする。
【００７４】
具体的には、第１選択情報は、同期化用ストレージ選択情報、同期化用第１保管箱選択情報、第１ポート選択情報、第１スマートデバイス選択情報および第１予約時間情報を含むことができる。この時、第１選択情報は、同期化用第１保管箱選択情報、第１ポート選択情報および第１スマートデバイス選択情報のうちいずれか一つ以上を含むことができる。
【００７５】
同期化用ストレージ選択情報は、多数のストレージ装置２０のうちいずれのストレージ装置２０を選択するのかについての情報が入っているものであって、同期化のために選択されたストレージ装置２０の第１識別情報を含む。
【００７６】
同期化用第１保管箱選択情報は、多数の保管箱２１０のうちいずれの保管箱２１０を選択するのかについての情報が入っているものであって、同期化のために選択された保管箱２１０の第２識別情報を含む。
【００７７】
第１ポート選択情報は、多数のポート２４０のうちいずれのポート２４０を選択するのかについての情報が入っているものであって、同期化のために選択されたポート２４０の第３識別情報を含む。
【００７８】
第１スマートデバイス選択情報は、多数のスマートデバイス３０のうちいずれのスマートデバイス３０を選択するのかについての情報が入っているものであって、同期化のために選択されたスマートデバイス３０の第４識別情報を含む。
【００７９】
第１予約時間情報は同期化を実行する時間についての情報であって、同期化が予約された日および時間（時、分、秒など）についての情報を含む。
【００８０】
一方、第１コンテンツ情報は選択されたストレージ装置２０の保管箱２１０に保管中のスマートデバイス３０に同期化する内容が入っている情報であって、第１データファイル情報、第１アプリケーション情報および第１環境設定情報のうちいずれか一つ以上を含む。
【００８１】
第１ファイル情報は同期化遂行時にスマートデバイス３０にアップロードされるデータファイルについての情報であって、アップロードされるデータファイルの名前、アップロードされるデータファイルの容量、アップロードされるデータファイルの内容をそれぞれ含むことができる。
【００８２】
第１アプリケーション情報は同期化遂行時にスマートデバイス３０に設置されるアプリケーションについての情報であって、設置されるアプリケーションの名前、設置されるアプリケーションの容量、設置されるアプリケーションの内容をそれぞれ含むことができる。
【００８３】
第１環境設定情報は同期化遂行時にスマートデバイス３０の環境を設定する情報であって、無線ＬＡＮモジュールのオン（ｏｎ）設定およびオフ（ｏｆｆ）設定、ブルートゥース（ｂｌｕｅｂｏｏｔｈ）（登録商標）モジュールのオン（ｏｎ）設定およびオフ（ｏｆｆ）設定、カメラのロック設定および解除設定、スマートデバイス画面のロック設定および解除設定、またはパスワード設定についての情報をそれぞれ含むことができる。
【００８４】
次いで、第２同期化設定情報について説明する。第２同期化設定情報はストレージ装置２０の入力部２３から入力される情報であって、該当ストレージ装置２０が同期化を遂行するために必要な情報を含む。すなわち、第２同期化設定情報は同期化を実行する対象と同期化の内容とがそれぞれ入っている情報であって、第２選択情報と第２コンテンツ情報を含むことができる。
【００８５】
この時、第２選択情報は、多数の保管箱２１０に保管中のスマートデバイス３０のうちいずれの保管箱２１０に保管中のスマートデバイス３０の同期化を実行するのかについての情報が入っている情報である。特に、第２同期化設定情報はそれぞれ固有識別情報を有することができる。以下、第２同期化設定情報の識別情報を「第６識別情報」とする。
【００８６】
具体的には、第２選択情報は、同期化用第２保管箱選択情報、第２ポート選択情報、第２スマートデバイス選択情報および第２予約時間情報を含むことができる。この時、第２選択情報は、同期化用第２保管箱選択情報、第２ポート選択情報および第２スマートデバイス選択情報のうちいずれか一つ以上を含むことができる。
【００８７】
同期化用第２保管箱選択情報は、多数の保管箱２１０のうちいずれの保管箱２１０を選択するのかについての情報が入っているものであって、同期化のために選択された保管箱２１０の第２識別情報を含む。
【００８８】
第２ポート選択情報は、多数のポート２４０のうちいずれのポート２４０を選択するのかについての情報が入っているものであって、同期化のために選択されたポート２４０の第３識別情報を含む。
【００８９】
第２スマートデバイス選択情報は、多数のスマートデバイス３０のうちいずれのスマートデバイス３０を選択するのかについての情報が入っているものであって、同期化のために選択されたスマートデバイス３０の第４識別情報を含む。
【００９０】
第２予約時間情報は同期化を実行する時間についての情報であって、同期化が予約された日および時間（時、分、秒など）についての情報を含む。
【００９１】
一方、第２コンテンツ情報は選択されたストレージ装置２０の保管箱２１０に保管中のスマートデバイス３０に同期化する内容が入っている情報であって、第２データファイル情報、第２アプリケーション情報および第２環境設定情報のうちいずれか一つ以上を含む。
【００９２】
第２ファイル情報は同期化遂行時にスマートデバイス３０にアップロードされるデータファイルについての情報であって、アップロードされるデータファイルの名前、アップロードされるデータファイルの容量、アップロードされるデータファイルの内容をそれぞれ含むことができる。
【００９３】
第２アプリケーション情報は同期化遂行時にスマートデバイス３０に設置されるアプリケーションについての情報であって、設置されるアプリケーションの名前、設置されるアプリケーションの容量、設置されるアプリケーションの内容をそれぞれ含むことができる。
【００９４】
第２環境設定情報は同期化遂行時にスマートデバイス３０の環境を設定する情報であって、無線ＬＡＮモジュールのオン（ｏｎ）設定およびオフ（ｏｆｆ）設定、ブルートゥース（ｂｌｕｅｂｏｏｔｈ）（登録商標）モジュールのオン（ｏｎ）設定およびオフ（ｏｆｆ）設定、カメラのロック設定および解除設定、スマートデバイス画面のロック設定および解除設定、またはパスワード設定についての情報をそれぞれ含むことができる。第２同期化設定情報について説明する。第２同期化設定情報はサーバー１０で設定される情報であって、これを受信したストレージ装置２０が同期化を遂行するために必要な情報を含む。すなわち、第２同期化設定情報は同期化を実行する対象と同期化の内容とがそれぞれ入っている情報であって、第２選択情報と第２コンテンツ情報を含むことができる。
【００９５】
次いで、同期化結果情報について説明する。同期化結果情報はストレージ装置２０の制御部２５で生成した情報であって、サーバー１０から受信した第１同期化設定情報や入力部２３から入力された第２同期化設定情報によりストレージ装置２０が同期化を遂行した結果についての情報である。すなわち、同期化結果情報は、同期化固有情報、同期化成功の可否についての情報、同期化遂行時間情報および同期化遂行失敗詳細情報などを含むことができる。
【００９６】
同期化固有情報はストレージ装置２０に受信された第１同期化設定情報の第５識別情報や入力部２３に入力された第２同期化設定情報の第６識別情報が入っている情報である。
【００９７】
例えば、ストレージ装置２０がサーバー１０から［００１４］の第５識別情報を有する第１同期化設定情報を受信して該当第１同期化設定情報により同期化を実行する場合、制御部２５は該当第１同期化設定情報の第５識別情報である［００１４］を同期化固有情報として生成し、同期化結果についての情報である同期化成功の可否についての情報を生成する。
【００９８】
また、ストレージ装置２０が入力部２３から［００１５］の第６識別情報を有する第２同期化設定情報を受信して該当第２同期化設定情報により同期化を実行する場合、制御部２５は該当第２同期化設定情報の第６識別情報である［００１５］を同期化固有情報として生成し、同期化結果についての情報である同期化成功の可否についての情報を生成する。
【００９９】
同期化成功の可否についての情報は、第１同期化設定情報や第２同期化設定情報により同期化を実行した結果に対するログ情報であって、同期化を成功的に遂行したかどうかを表している。
【０１００】
例えば、同期化成功の可否についての情報は、保管箱ごとに、ポートごとに、またはスマートデバイスごとに同期化遂行の「成功」や「失敗」についての情報を入れることができる。
【０１０１】
同期化遂行時間情報は同期化を成功的に遂行した場合に、保管箱ごとに、ポートごとに、またはスマートデバイスごとに同期化遂行開始日時と、同期化遂行終了日時についての情報を入れることができる。
【０１０２】
同期化遂行失敗の詳細情報は同期化が失敗した保管箱２１０の第２識別情報や、同期化が失敗したポート２４０の第３識別情報や、同期化が失敗したスマートデバイス３０の第４識別情報を含み、保管箱ごとに、ポートごとに、またはスマートデバイスごとに同期化失敗の詳細な理由についての情報を含むことができる。
【０１０３】
図５は、本発明の一実施例に係るスマートデバイスの管理システム１の同期化遂行のためのデータフローチャートの第１実施例を示している。
【０１０４】
以下、ストレージ装置２０の制御部２５が同期化を実行する一実施例について説明する。
【０１０５】
まず、第１実施例として、制御部２５は下記の［過程１ａ］〜［過程６ａ］に沿って同期化を実行することができる。
【０１０６】
［過程１ａ］：制御部２５は通信部２２に受信された第１同期化設定情報の同期化用ストレージ選択情報が該当ストレージ装置２０の第１識別情報と一致するかの可否を確認した後、一致する場合に［過程２ａ］を実施する。
【０１０７】
例えば、あるストレージ装置２０の第１識別情報が［０００１］である場合、該当ストレージ装置２０の制御部２５は第１同期化設定情報のうち同期化用ストレージ選択情報に含まれた第１識別情報が［０００１］であるかを確認し、その識別情報が［０００１］であるときに次の過程を実施する。
【０１０８】
［過程２ａ］：同期化用第１保管箱選択情報と一致するポート２４０を選択する。
【０１０９】
例えば、同期化用第１保管箱選択情報に第１保管箱２１０ａ、第２保管箱２１０ｂ、第３保管箱２１０ｃおよび第５保管箱２１０ｅに該当する第２識別情報が含まれた場合、制御部２５は第１保管箱２１０ａ、第２保管箱２１０ｂ、第３保管箱２１０ｃおよび第５保管箱２１０ｅを選択する。
【０１１０】
［過程３ａ］：［過程２ａ］で選択された保管箱２１０にスマートデバイス３０の連結の有無を確認した後、連結が確認されたスマートデバイス３０に［過程４ａ］を実施する。
【０１１１】
例えば、第１保管箱２１０ａに第１スマートデバイス３０ａが、第２保管箱２１０ｂに第２スマートデバイス３０ｂが、第３保管箱２１０ｃに第３スマートデバイス３０ｃが、第５保管箱２１０ｅに第５スマートデバイス３０ｅがそれぞれ連結されたかを確認する。万一、第１スマートデバイス３０ａ、第２スマートデバイス３０ｂおよび第５スマートデバイス３０ｅが連結され、第３スマートデバイス３０ｃが連結されていない場合、第１スマートデバイス３０ａ、第２スマートデバイス３０ｂおよび第５スマートデバイス３０ｅについてのみ次の過程を実施する。
【０１１２】
［過程４ａ］：第１予約時間情報の時間の経過の有無を確認した後、時間が経過すると［過程５ａ］を実施する。
【０１１３】
例えば、第１予約時間情報の時間が２０１７年７月１７日午後２：００である場合、２０１７年７月１７日午後２：００になるまで待機する。
【０１１４】
［過程５ａ］：［過程３ａ］で確認されたスマートデバイス３０のうち第１コンテンツ情報によって、以前にすでに同期化を実施したスマートデバイス３０と実施していないスマートデバイス３０を分類する。実施していないスマートデバイス３０についてのみ［過程６ａ］を実施する。
【０１１５】
例えば、第５スマートデバイス３０ｅに対して第１コンテンツ情報によって以前にすでに同期化を実施した場合、第１スマートデバイス３０ａおよび第２スマートデバイス３０ｂについてのみ次の過程を実施する。
【０１１６】
［過程６ａ］：［過程５ａ］で選択された未実施のスマートデバイス３０について、受信したコンテンツ情報に含まれた情報、すなわち第１データファイル情報、第１アプリケーション情報および第１環境設定情報のうちいずれか一つ以上の情報により同期化を実施する。
【０１１７】
例えば、第１コンテンツ情報に含まれた第１データファイル情報が「電話番号リスト資料」についての情報であり、第１アプリケーション情報が「カカオトーク」についての情報であり、第１環境設定情報が「無線ＬＡＮオフ（ｏｆｆ）設定」についての情報である場合、第１スマートデバイス３０ａおよび第２スマートデバイス３０ｂに対してそれぞれ電話番号リスト資料をアップロードし、カカオトークを設置し、無線ＬＡＮをオフ（ｏｆｆ）に設定する。
【０１１８】
図６は、本発明の一実施例に係るスマートデバイスの管理システム１の同期化遂行のためのデータフローチャートの第２実施例を示している。
【０１１９】
次いで、第２実施例として、制御部２５は下記の［過程１ｂ］〜［過程５ｂ］に沿って同期化を実行することができる。
【０１２０】
［過程１ｂ］：制御部２５は入力部２３に第２同期化設定情報が入力される場合、同期化用第２保管箱選択情報と一致するポート２４０を選択する。
【０１２１】
例えば、同期化用第１保管箱選択情報に第１保管箱２１０ａ、第２保管箱２１０ｂ、第３保管箱２１０ｃおよび第５保管箱２１０ｅに該当する第２識別情報が含まれた場合、制御部２５は第１保管箱２１０ａ、第２保管箱２１０ｂ、第３保管箱２１０ｃおよび第５保管箱２１０ｅを選択する。
【０１２２】
［過程２ｂ］：［過程１ｂ］で選択された保管箱２１０にスマートデバイス３０の連結の有無を確認した後、連結が確認されたスマートデバイス３０に［過程３ｂ］を実施する。
【０１２３】
例えば、第１保管箱２１０ａに第１スマートデバイス３０ａが、第２保管箱２１０ｂに第２スマートデバイス３０ｂが、第３保管箱２１０ｃに第３スマートデバイス３０ｃが、第５保管箱２１０ｅに第５スマートデバイス３０ｅがそれぞれ連結されたかを確認する。万一、第１スマートデバイス３０ａ、第２スマートデバイス３０ｂおよび第５スマートデバイス３０ｅが連結され、第３スマートデバイス３０ｃが連結されていない場合、第１スマートデバイス３０ａ、第２スマートデバイス３０ｂおよび第５スマートデバイス３０ｅについてのみ次の過程を実施する。
【０１２４】
［過程３ｂ］：第２予約時間情報の時間の経過の有無を確認した後、時間が経過すると［過程４ｂ］を実施する。
【０１２５】
例えば、第２予約時間情報の時間が２０１７年７月１７日午後２：００である場合、２０１７年７月１７日午後２：００になるまで待機する。
【０１２６】
［過程４ｂ］：［過程２ｂ］で確認されたスマートデバイス３０のうち第２コンテンツ情報によって、以前にすでに同期化を実施したスマートデバイス３０と実施していないスマートデバイス３０を分類する。実施していないスマートデバイス３０についてのみ［過程６ａ］を実施する。
【０１２７】
例えば、第５スマートデバイス３０ｅについて第２コンテンツ情報によって以前にすでに同期化を実施した場合、第１スマートデバイス３０ａおよび第２スマートデバイス３０ｂについてのみ次の過程を実施する。
【０１２８】
［過程５ｂ］：［過程４ｂ］で選択された未実施のスマートデバイス３０について、受信したコンテンツ情報に含まれた情報、すなわち第２データファイル情報、第２アプリケーション情報および第２環境設定情報のうちいずれか一つ以上の情報により同期化を実施する。
【０１２９】
例えば、第２コンテンツ情報に含まれた第２データファイル情報が「電話番号リスト資料」についての情報であり、第２アプリケーション情報が「カカオトーク」についての情報であり、第２環境設定情報が「無線ＬＡＮオフ（ｏｆｆ）設定」についての情報である場合、第１スマートデバイス３０ａおよび第２スマートデバイス３０ｂに対してそれぞれ電話番号リスト資料をアップロードし、カカオトークを設置し、無線ＬＡＮをオフ（ｏｆｆ）に設定する。
【０１３０】
以下、第１制御情報、第２制御情報、または同期化設定情報を設定するためにサーバー１０やサーバー１０に接続された端末機４０で駆動される設定プログラムの構成について説明する。
【０１３１】
図７〜図９は、本発明の一実施例に係るスマートデバイスの管理システム１の設定プログラム５０を示している。
【０１３２】
設定プログラム５０はコンピュータシステムで読み出し可能記録媒体にコンピュータシステムで判読可能なコードで具現され、コンピュータシステムが読み出し可能な記録媒体はコンピュータシステムによって読み込みできるデータが保存されたすべての種類の記録媒体を含む。
【０１３３】
第１制御情報、第２制御情報、または同期化設定情報は、設定プログラム５０を介して設定され得る。設定プログラム５０は、図７〜図９に図示された通り、第１設定部５１〜第６設定部５６を含むことができる。
【０１３４】
第１設定部５１は、制御や同期化を遂行するストレージ装置２０を選択する構成である。第１設定部５１により、第１制御情報のうち制御用ストレージ選択情報や同期化用ストレージ選択情報が設定される。
【０１３５】
第２設定部５２は、第１設定部５１で選択されたストレージ装置２０で制御や同期化を実行する保管箱２１０を選択する構成である。第２設定部５２により、第１制御情報のうち制御用第１保管箱選択情報、第２制御情報のうち制御用第２保管箱選択情報、第１同期化設定情報のうち同期化用第１保管箱選択情報、または第２同期化設定情報のうち同期化用第２保管箱選択情報が設定される。
【０１３６】
第３設定部５３は同期化を実行する時間を設定する構成である。第３設定部５３により、第１同期化設定情報のうち第１予約時間情報、または第２同期化設定情報のうち第２予約時間情報が設定される。
【０１３７】
第４設定部５４は、スマートデバイス３０に設置するアプリケーションを選択する構成である。第４設定部５４により、第１同期化設定情報のうち第１アプリケーション情報、または第２同期化設定情報のうち第２アプリケーション情報が設定される。
【０１３８】
第５設定部５５は、スマートデバイス３０にアップロードするデータファイルを選択する構成である。第５設定部５５により、第１同期化設定情報のうち第１データファイル情報、または第２同期化設定情報のうち第２データファイル情報が設定される。
【０１３９】
第６設定部５６は、スマートデバイス３０の環境を設定する構成である。第６設定部５６により、第１同期化設定情報のうち第１環境設定情報、または第２同期化設定情報のうち第２環境設定情報が設定される。
【０１４０】
以下、本発明の一実施例に係るスマートデバイスの管理方法について説明する。
【０１４１】
本発明の一実施例に係るスマートデバイスの管理方法は、図１〜図９に沿って詳述したスマートデバイスシステム１を利用する方法であって、情報受信段階Ｓ１０および制御段階Ｓ２０を含む。
【０１４２】
情報受信段階Ｓ１０は、ストレージ装置および保管箱を選択して制御する情報である第１制御情報をサーバーからストレージ装置に送信するか、保管箱を選択して制御する情報である第２制御情報を入力部から入力を受ける段階である。
【０１４３】
制御段階Ｓ２０は、第１制御情報や第２制御情報に応じて該当保管箱のロック解除を制御部で制御する段階である。
【０１４４】
また、本発明の一実施例に係るスマートデバイスの管理方法は、ａ）段階Ｓ１００〜ｃ）段階Ｓ３００をさらに含むことができる。
【０１４５】
ａ）段階Ｓ１００は、各保管箱の利用現況についての情報である保管現況情報を制御部で生成する段階である。
【０１４６】
ｂ）段階Ｓ２００は、保管現況情報を通信部からサーバーに送信する段階である。
【０１４７】
ｃ）段階Ｓ３００は、サーバーから受信した保管現況情報をデータベースに保存し、データベースに保存された連結情報をサーバーに接続された端末機に提供する段階である。
【０１４８】
ａ）段階Ｓ１００は、感知部で感知した保管箱のロック状態やロック解除状態に応じて保管現況情報を制御部で生成する段階Ｓ１１０をさらに含むことができる。
【０１４９】
制御段階Ｓ２０は、第１制御情報のストレージ選択情報に含まれた該当ストレージ装置の第１識別情報と一致する場合、制御用第１保管箱制御情報による該当保管箱のロックが解除されるように制御部でロック部を制御する段階Ｓ２１をさらに含むことができる。
【０１５０】
ａ）段階Ｓ１００は、スマートデバイスの保管を指示する制御用第１指示情報が含まれた第１制御情報に応じて該当保管箱がロック解除された後に再びロック状態に戻る場合、該当保管箱にスマートデバイスが保管中であると保管状態情報を制御部で生成し、スマートデバイスの搬出を指示する制御用第１指示情報が含まれた第１制御情報に応じて該当保管箱がロック解除された後に再びロック状態に戻る場合、該当保管箱からスマートデバイスが搬出されたと保管状態情報を制御部で生成する段階Ｓ１２０をさらに含むことができる。
【０１５１】
制御段階Ｓ２０は入力部から第２制御情報が入力される場合、制御用第２保管箱選択情報による該当保管箱のロックが解除されるように制御部でロック部を制御する段階Ｓ２２をさらに含むことができる。
【０１５２】
ａ）段階Ｓ１００は、スマートデバイスの保管を指示する制御用第２指示情報が含まれた第２制御情報に応じて該当保管箱がロック解除された後に再びロック状態に戻る場合、該当保管箱にスマートデバイスが保管中であると保管状態情報を制御部で生成し、スマートデバイスの搬出を指示する制御用第２指示情報が含まれた第２制御情報に応じて該当保管箱がロック解除された後に再びロック状態に戻る場合、該当保管箱からスマートデバイスが搬出されたと保管状態情報を制御部で生成する段階Ｓ１３０をさらに含むことができる。
【０１５３】
ａ）段階Ｓ１００は、各保管箱のポートに連結されたスマートデバイスから充電状態を表す充電情報を接続部で受信する場合、充電情報が含まれた保管現況情報を制御部で生成する段階Ｓ１４０をさらに含むことができる。
【０１５４】
ａ）段階Ｓ１００は、接続部に充電情報が受信されないか接続部に受信された充電情報による充電値が一定時間の間一定の範囲内に維持される場合、該当ポートの保管箱に対するエラー状態を表示するエラー情報が含まれた保管現況情報を制御部で生成する段階Ｓ１５０をさらに含むことができる。
【０１５５】
制御段階Ｓ２０は、スマートデバイスが保管されたり搬出される場合に映像が撮影されるように制御部で撮影部を制御する段階Ｓ２３をさらに含むことができる。
【０１５６】
情報受信段階Ｓ１０は、ストレージ装置および保管箱を選択して同期化する情報である第１同期化設定情報をサーバーからストレージ装置に送信するか、保管箱を選択して同期化する情報である第２同期化設定情報を入力部から入力を受ける段階Ｓ１１をさらに含むことができる。この時、制御段階Ｓ２０は、第１同期化設定情報や第２同期化設定情報に応じて該当保管箱のポートに連結されたスマートデバイスの同期化を実行するように制御部で接続部を制御する段階Ｓ２４をさらに含むことができる。
【０１５７】
制御段階Ｓ２０は、第１同期化設定情報に含まれた同期化用ストレージ選択情報が該当ストレージ装置の第１識別情報と一致する場合、同期化用第１保管箱選択情報の該当保管箱のポートに連結されたスマートデバイスを、第１予約時間情報の時間に、第１データファイル情報、第１アプリケーション情報および第１環境設定情報のうちいずれか一つ以上の情報により同期化を実行するように制御部で接続部を制御し、第２同期化設定情報が入力部を介して入力される場合、同期化用第２保管箱選択情報の該当保管箱のポートに連結されたスマートデバイスを、第２予約時間情報の時間に、第２データファイル情報、第２アプリケーション情報および第２環境設定情報のうちいずれか一つ以上の情報により同期化を実行するように制御部で接続部を制御する段階Ｓ２５をさらに含むことができる。
【０１５８】
また、本発明の一実施例に係るスマートデバイスの管理方法は、イ）段階Ｓ１０００〜ハ）段階Ｓ３０００をさらに含むことができる。
【０１５９】
イ）段階Ｓ１０００は、第１同期化設定情報や第２同期化設定情報に応じて該当保管箱のスマートデバイスに同期化を実行した結果についての情報が入っている同期化結果情報を制御部で生成する段階である。
【０１６０】
ロ）段階Ｓ２０００は、同期化結果情報を通信部からサーバーに送信する段階である。
【０１６１】
ハ）段階Ｓ３０００は、サーバーに受信された同期化結果情報をデータベースに保存し、データベースに保存された連結情報をサーバーに接続された端末機に提供する段階である。
【０１６２】
サーバー１０、ストレージ装置２０、スマートデバイス３０および端末機４０についての説明と、第１制御情報、第２制御情報、第１同期化設定情報、第２同期化設定情報および同期化結果についての説明は、図１〜図９に沿って詳述したので、以下省略する。
【０１６３】
また、本発明の一実施例に係るスマートデバイス管理方法は、前述した［過程１ａ］〜［過程６ａ］や、［過程１ｂ］〜［過程５ｂ］を含むことができる。
【０１６４】
以上、本発明を図面に図示した実施例を参照して説明したが、これは発明を説明するためのものに過ぎず、本発明が属する技術分野の通常の知識を有する者であれば、発明の詳細な説明から多様な変形または均等な実施例が可能であることが理解できるはずである。したがって、本発明の真の権利範囲は特許請求の範囲の技術的思想によって定められるべきである。
【０１６５】
本発明はスマートデバイスのストレージ装置、管理システムおよび管理方法に関するものであって、サーバーを利用してストレージ装置を制御することができ、同期化を実行することができるだけでなく、ストレージ装置の保管箱ごとに保管現況情報や同期化結果情報を提供することができるため、遠隔でも多数のスマートデバイスをより容易に保管および管理することができるので、産業上の利用可能性がある。
【図１】
2019515610.tif 000003
【図２】
2019515610.tif 000004
【図３】
2019515610.tif 000005
【図４】
2019515610.tif 000006
【図５】
2019515610.tif 000007
【図６】
2019515610.tif 000008
【図７】
2019515610.tif 000009
【図８】
2019515610.tif 000010
【図９】
2019515610.tif 000011
【国際調査報告】
2019515610.tif 000012
2019515610.tif 000013
2019515610.tif 000014
2019515610.tif 000015